(57)【要約】【課題】コスト低減を図りつつ、全域にわたって明るさが均一な出力画像を得ることができるイメージセンサを提供する。【解決手段】画像読取領域Ｓ内に複数行複数列にわたって配列された多数個のフォトダイオード１を備え、撮像光学系を介した光を受光して画像信号を出力するイメージセンサであって、画像読取領域Ｓの所定点を通る行方向座標軸上に位置する各点に対応する行方向補正係数と、画像読取領域Ｓの所定点を通る列方向座標軸上に位置する各点に対応する列方向補正係数とを定める一方、画像読取領域Ｓ内の各フォトダイオード１の出力値に対して、当該フォトダイオード１の行方向座標に対応する行方向補正係数と、当該フォトダイオード１の列方向座標に対応する列方向補正係数とを乗ずることにより、各フォトダイオード１の出力値を補正するように構成した。【選択図】  図７
2004159160.tif 000002
【特許請求の範囲】
【請求項１】
画像読取領域内に複数行複数列にわたって配列された多数個の受光素子を備え、撮像光学系を介した光を受光して画像信号を出力するイメージセンサであって、
上記画像読取領域の所定点を通る行方向座標軸上に位置する各点に対応する行方向補正係数と、
上記画像読取領域の所定点を通る列方向座標軸上に位置する各点に対応する列方向補正係数とを定める一方、
上記画像読取領域内の各受光素子の出力値に対して、当該受光素子の行方向座標に対応する行方向補正係数と、当該受光素子の列方向座標に対応する列方向補正係数とを乗ずることにより、各受光素子の出力値を補正するように構成したことを特徴とする、イメージセンサ。
【請求項２】
上記所定点は、上記撮像光学系からの基準受光量が最大となる受光素子が位置する点である、請求項１に記載のイメージセンサ。
【請求項３】
上記行方向補正係数は、上記所定点を通る行方向座標軸上に配列されている各受光素子の基準受光量の、上記所定点に位置する受光素子の基準受光量に対する比の逆数に基づいて定められており、
上記列方向補正係数は、上記所定点を通る列方向座標軸上に配列されている各受光素子の基準受光量の、上記所定点に位置する受光素子の基準受光量に対する比の逆数に基づいて定められている、請求項１または２に記載のイメージセンサ。
【請求項４】
列ごとに設けられ、かつ受光素子の出力値と所定の基準電圧とを比較することによりアナログ信号としての上記出力値をディジタル信号に変換するための複数の比較手段と、
受光素子の出力値が行ごとに読み出されるとき、上記列方向補正係数に関連した値に応じて、行ごとに異なる値の基準電圧を上記比較手段に対して設定する行方向設定手段と、
上記行方向補正係数に関連した値に応じて、異なる値の基準電圧を上記比較手段ごとに設定する列方向設定手段とを備える、請求項１ないし３のいずれかに記載のイメージセンサ。
【請求項５】
上記行方向設定手段は、
上記基準電圧を抵抗によって分圧することにより、上記比較手段ごとに異なる値の基準電圧を設定する、請求項４に記載のイメージセンサ。
【請求項６】
列ごとに設けられ、かつ受光素子の出力値と所定の基準電圧とを比較することによりアナログ信号としての上記出力値をディジタル信号に変換するための複数の比較手段と、
受光素子の出力値が行ごとに読み出されるとき、上記列方向補正係数に関連した値に応じて、行ごとに異なる値の基準電圧を上記比較手段に対して設定する行方向設定手段と、
上記各比較手段の出力を所定のカウント範囲を基準にしてカウントし、上記行方向補正係数に関連した値に応じて、異なるカウント範囲を上記比較手段ごとに設定する列方向設定手段とを備える、請求項１ないし３のいずれかに記載のイメージセンサ。
【請求項７】
上記画像読取領域の所定点を通る行方向座標軸上に位置する各点に対応する行方向補正係数を予め記憶する行方向補正係数記憶手段と、
上記画像読取領域の所定点を通る列方向座標軸上に位置する各点に対応する補正係数を予め記憶する列方向補正係数記憶手段と、
上記画像読取領域内の各受光素子の出力値に対して、上記行方向補正係数記憶手段によって記憶された、当該受光素子の行方向座標に対応する行方向補正係数と、上記列方向補正係数記憶手段によって記憶された、当該受光素子の列方向座標に対応する列方向補正係数とを乗算する乗算手段とを備える、請求項１ないし３のいずれかに記載のイメージセンサ。
【請求項８】
上記行方向補正係数記憶手段は、上記行方向補正係数を間引きして記憶するものであり、
上記列方向補正係数記憶手段は、上記列方向補正係数を間引きして記憶するものである、請求項７に記載のイメージセンサ。
【発明の詳細な説明】
【０００１】
【発明の属する技術分野】
本願発明は、たとえばディジタルカメラに用いられるＣＭＯＳ型のイメージセンサに関する。
【０００２】
【従来の技術】
この種のイメージセンサは、画像読取領域内において複数行複数列に配列された多数個の受光素子を備えている（たとえば、特許文献１参照）。
【０００３】
【特許文献１】
特開２００１−３６８１６号公報。
【０００４】
上記各受光素子には、これらに対応して複数のスイッチング素子がそれぞれ接続されている。行方向に配列された受光素子のスイッチング素子には、選択信号を与えるためのアドレス線（選択線）が接続されており、列方向に配列された受光素子のスイッチング素子には、受光素子の出力値を読み出すための読出線が接続されている。読出線の接続端には、受光素子の出力値をアナログ−ディジタル変換するためのＡＤコンバータが接続されている。ＡＤコンバータには、アナログ−ディジタル変換後のディジタル信号をフレームメモリに蓄積させるためのシフトレジスタが接続されている。
【０００５】
この構成において、アドレス線の１ラインごとに順次、選択信号が与えられることにより、行方向に配列された受光素子のスイッチング素子が１ラインごとにオンし、その結果、受光素子の出力値が画素信号として読出線を通じて各ＡＤコンバータに与えられる。そして、画素信号は、ＡＤコンバータにおいてアナログ信号からディジタル信号に変換され、シフトレジスタによってフレームメモリに順次出力される。
【０００６】
このイメージセンサは、レンズを用いた撮像光学系と組み合わせて撮像装置を構成する場合、以下に説明するように、一般に、画像読取領域の中央部に対して周辺部の光量が小さくなる。
【０００７】
図１７は、イメージセンサＩＳが設けられたディジタルカメラの撮像光学系を示す概略図である。この図によって、レンズＺの中心を通ってイメージセンサＩＳに至る光を検討すると、入射光Ａは、レンズＺの中心を通りイメージセンサＩＳの画像読取領域Ｓの中央Ｓｏに入射する一方、この入射光Ａに対して角度θを有して入射する光Ｂは、画像読取領域Ｓの周縁部分Ｓｒに入射する。レンズＺの中心から画像読取領域Ｓまでの光路長は、画像読取領域の周縁部に到達する光ほど長くなるのであり、画像読取領域Ｓの中央Ｓｏにおける光量を１とすれば、画像読取領域Ｓの周縁部分Ｓｒにおける光量は、理論上、ＣＯＳ４θで求められる。このように、画像読取領域Ｓの中央Ｓｏにおける光量に比べ、画像読取領域Ｓの周縁部分における光量は小さくなる。この傾向は、レンズからイメージセンサまでの距離を小さく設定して撮像装置をコンパクト化するほど顕著となる。
【０００８】
また、図１８は、画像読取領域Ｓ内における光量の分布を示す図である。同図に示すように、画像読取領域Ｓでは、レンズの光学中心と対応する中央において光量が最大となり、周縁部分に至るほど光量が小となる。より具体的には、光量は、中心点Ｏから遠ざかるにつれて序々に低くなり、中心点Ｏからほぼ同じ距離にある環状領域内では、ほぼ同程度の光量となる。画像読取領域におけるＸ軸断面における光量分布は、図１８（ｂ）  に示すように、中心点Ｏを最大光量とした二次曲線で表され、中心点Ｏから距離Ｌｘだけ離れたＸ軸上の点Ｐ１においては、たとえば最大光量のｘ％の光量となっている。また、Ｙ軸断面における光量分布もまた、図１８（ｃ）  に示すように、中心点Ｏを最大光量とした二次曲線で表され、中心点Ｏから距離Ｌｙだけ離れたＹ軸上の点Ｐ２においては、たとえば最大光量のｙ％の光量となっている。このようなイメージセンサ上の光量分布をそのまま反映させて画像を出力すれば、その画像は、周辺部ほど暗くなることになる。
【０００９】
【発明が解決しようとする課題】
そこで、従来のイメージセンサでは、上記のような光量分布を補正して、出力画像の全域にわたってほぼ均一な明るさを得ることのできる技術が種々提案されている。たとえば、イメージセンサに、ディジタル信号を補正するためのＤＳＰ（ｄｉｇｉｔａｌ  ｓｉｇｎａｌ  ｐｒｏｃｅｓｓｏｒ）を内蔵させ、このＤＳＰによって、各受光素子の出力値に、当該受光素子が位置する点における光量の最大光量に対する比の逆数値を乗算して補正を行うことが提案されている。
【００１０】
たとえば、図１８に示した点Ｐ１における光量は、最大光量のｘ％であるため、この点Ｐ１における逆数値は、（１００／ｘ）となる。したがって、画像読取領域Ｓの点Ｐ１上に配列された受光素子の出力値に上記逆数値を乗算すると、図１９に示すように、最大光量とほぼ同等の補正値が得られることになる。そのため、各受光素子の出力値に対して各受光素子に応じた上記逆数値を乗算して補正を行うことにより、出力画像がその全域においてほぼ均一な明るさとなる。
【００１１】
しかしながら、このＤＳＰを用いて逆数値を乗算する方法には、全ての受光素子に対して上記逆数値を割り付ける必要があるため、これら多数の逆数値が記憶された補正テーブルを備えるメモリを設けなければならないといった欠点がある。しかも、この場合、画素数（受光素子数）が多くなればなるほど、逆数値の数は増え、メモリ容量が大となるとともに、それによるコストが増大してしまう。
【００１２】
なお、メモリ容量を節約するために、図２０に示すように、補正テーブルを画像読取領域Ｓの一つの象限内の受光素子に対応するものに限って作成し、これを他の象限に展開して用いることも考えられる。この方法によれば、メモリ容量を約１／４に低減することができるが、コスト的に十分低減されたとはいい難い。
【００１３】
また、受光素子の出力を補正することなく、画像読取領域の全域にわたって均一な光量を得ることのできる方法として、画像読取領域の中央に向かうほど透光性が減じられた、いわゆるＮＤ（ｎｅｕｔｒａｌ  ｄｅｎｓｉｔｙ）フィルタをイメージセンサと併せ用いることが提案されている。すなわち、このＮＤフィルタをイメージセンサの前面近傍に配置させれば、ＮＤフィルタによって画像読取領域の中央における光量を強制的に低下させることができるので、画像読取領域の全域を均一な光量にすることができる。
【００１４】
しかしながら、この場合、入射光をカットすることによって画像読取領域の内部領域の光量を周辺領域の光量に合わせ込むことになり、イメージセンサ全体としての出力が低下してしまうという不都合を生じる。
【００１５】
【発明の開示】
本願発明は、上記した事情のもとで考え出されたものであって、コスト低減を図りつつ、全域にわたって明るさが均一な出力画像を得ることができるイメージセンサを提供することをその課題とする。
【００１６】
上記の課題を解決するため、本願発明では、次の技術的手段を講じている。
【００１７】
本願発明によって提供されるイメージセンサは、画像読取領域内に複数行複数列にわたって配列された多数個の受光素子を備え、撮像光学系を介した光を受光して画像信号を出力するイメージセンサであって、上記画像読取領域の所定点を通る行方向座標軸上に位置する各点に対応する行方向補正係数と、上記画像読取領域の所定点を通る列方向座標軸上に位置する各点に対応する列方向補正係数とを定める一方、上記画像読取領域内の各受光素子の出力値に対して、当該受光素子の行方向座標に対応する行方向補正係数と、当該受光素子の列方向座標に対応する列方向補正係数とを乗ずることにより、各受光素子の出力値を補正するように構成したことを特徴としている。
【００１８】
ここで、上記所定点は、上記撮像光学系からの基準受光量が最大となる受光素子が位置する点である。また、上記行方向補正係数は、上記所定点を通る行方向座標軸上に配列されている各受光素子の基準受光量の、上記所定点に位置する受光素子の基準受光量に対する比の逆数に基づいて定められており、上記列方向補正係数は、上記所定点を通る列方向座標軸上に配列されている各受光素子の基準受光量の、上記所定点に位置する受光素子の基準受光量に対する比の逆数に基づいて定められている。上記基準受光量とは、たとえば全域にわたって輝度が均一な一定の面を撮像した場合の受光素子の受光量をいう。
【００１９】
本願発明は、たとえば図７に示すように、画像読取領域Ｓ内の原点Ｏにおける受光量を最大受光量とした場合、画像読取領域Ｓ内の任意の点ＰのＸ座標に相当するＸ軸上の点Ｐｘにおける受光量の上記最大受光量に対する比と、上記任意の点ＰのＹ座標に相当するＹ軸上の点Ｐｙにおける受光量の上記最大受光量に対する比とを乗じたものとが、上記任意の点Ｐにおける受光量の上記最大受光量に対する比とほぼ等しいという知見に基づいて発明されたものである。
【００２０】
すなわち、画像読取領域Ｓ内の任意の点Ｐにおける受光素子の出力値を原点Ｏにおける受光素子の出力値と一致させるように補正するためには、点ＰのＸ座標に相当するＸ軸上の点Ｐｘにおける受光量の上記最大受光量に対する比の逆数と、上記任意の点ＰのＹ座標に相当するＹ軸上の点Ｐｙにおける受光量の上記最大受光量に対する比の逆数とを、上記Ｐ点における受光素子の出力値に掛け合わせればよいことになる。
【００２１】
たとえば、図７における点Ｐｘにおける光量の原点Ｏにおける受光量（最大受光量）に対する比を８０％とし、点Ｐｙにおける受光量の原点Ｏにおける受光量（最大受光量）に対する比を８０％とすると、点Ｐにおける原点Ｏに対する受光量の比は６４％となる。したがって、点Ｐにおける受光素子の出力値に対して、点Ｐｘにおける受光量の原点Ｏにおける最大受光量に対する比の逆数である（１００／８０）と、点Ｐｙにおける受光量の原点Ｏにおける最大受光量に対する比の逆数である（１００／８０）とを乗ずるようにすれば、６４×（１００／８０）×（１００／８０）＝１００となることから、上記点Ｐにおける受光素子の出力値は、原点Ｏにおける受光素子の出力値と同等となるように補正されることになる。
【００２２】
別言すれば、画像読取領域の所定点（たとえば中心）を通る行方向座標軸（図７のＸ軸に相当）上の各点に対応する行方向補正係数と、画像読取領域の所定点を通る列方向座標軸（図７のＹ軸に相当）上に位置する各点に対応する列方向補正係数とを定めておき、画像読取領域内の各受光素子の出力値に対して、当該受光素子の行方向座標に対応する行方向補正係数と、当該受光素子の列方向座標に対応する列方向補正係数とを乗ずるようにする。
【００２３】
従来では、画像読取領域内の全ての受光素子あるいは一つの象限内にある受光素子の出力値に対して、それぞれ補正値を有する方法があったが、本願発明で、行方向座標軸上に並ぶ受光素子および列方向座標軸上に並ぶ受光素子についての補正係数を備えておればよいので、メモリ容量を著しく削減することができる。なお、このような受光素子の出力値を補正する方法には、後述するように、たとえばＡＤコンバータの基準電圧を設定変更して行う方法、あるいは予め行方向補正係数および行方向補正係数を記憶して行う方法等が挙げられる。
【００２４】
本願発明の好ましい実施の形態によれば、列ごとに設けられ、かつ受光素子の出力値と所定の基準電圧とを比較することによりアナログ信号としての上記出力値をディジタル信号に変換するための複数の比較手段と、受光素子の出力値が行ごとに読み出されるとき、上記列方向補正係数に関連した値に応じて、行ごとに異なる値の基準電圧を上記比較手段に対して設定する行方向設定手段と、上記行方向補正係数に関連した値に応じて、異なる値の基準電圧を上記比較手段ごとに設定する列方向設定手段とを備える。ここで、列方向補正係数に関連した値とは、たとえば列方向座標軸上に配列された受光素子の受光量の最大受光量に対する比であり、行方向補正係数に関連した値とは、たとえば行方向座標上に配列された受光素子の受光量の最大受光量に対する比である。
【００２５】
ここで、比較手段は、読み出されたアナログ信号としての受光素子の実際の出力値と基準電圧とを比較し、その比較結果をディジタル信号としての受光素子の出力値とするものである。そのため、基準電圧の値を上記列方向補正係数および行方向補正係数に関連した値に応じて、異なる値に設定すれば、受光素子の出力値を変化させることができる。
【００２６】
すなわち、画像読取領域内の列方向に配列された受光素子が行ごとに読み出されるとき、上記列方向補正係数に関連した値に応じて、行ごとに異なるように比較手段の基準電圧を設定すれば、列方向に配列された受光素子の出力値を、設定された基準電圧の値に応じて行ごとに変化させることができる。たとえば、比較手段の基準電圧を所定の割合で下げておけば、受光素子の出力値は高くなる。
【００２７】
また、列ごとに設けられた比較手段の基準電圧を上記行方向補正係数に関連した値に応じて、異なるように設定すれば、列方向に配列された受光素子の出力値を、比較手段の基準電圧に設定された値に応じて変化させることができる。たとえば、受光素子が配列された列における比較手段の基準電圧を所定の割合で下げておけば、受光素子の出力値は高くなる。
【００２８】
本願発明の他の好ましい実施の形態によれば、上記行方向設定手段は、上記基準電圧を抵抗によって分圧することにより、上記比較手段ごとに異なる値の基準電圧を設定する。
【００２９】
この構成によれば、比較手段ごとに基準電圧を容易に設定することができる。
【００３０】
本願発明の他の好ましい実施の形態によれば、列ごとに設けられ、かつ受光素子の出力値と所定の基準電圧とを比較することによりアナログ信号としての上記出力値をディジタル信号に変換するための複数の比較手段と、受光素子の出力値が行ごとに読み出されるとき、上記列方向補正係数に関連した値に応じて、行ごとに異なる値の基準電圧を上記比較手段に対して設定する行方向設定手段と、上記各比較手段の出力を所定のカウント範囲を基準にしてカウントし、上記行方向補正係数に関連した値に応じて、異なるカウント範囲を上記比較手段ごとに設定する列方向設定手段とを備える。
【００３１】
この構成によれば、比較手段の基準電圧を分圧することに代えて、列ごとに設けられた比較手段ごとに、その出力をカウントし、上記行方向補正係数に関連した値に応じて比較手段ごとにそのカウント範囲が異なるように設定することにより、行方向に配列された受光素子の出力値を変化させることができる。たとえば、受光素子が配列された列における比較手段の出力のカウント範囲を広く設定しておけば、カウント範囲を狭く設定した場合に比べ、高いカウント値が得られる。すなわち、実際の受光素子の出力値が見かけ上、高くなる。
【００３２】
また、上記カウント範囲は、比較手段の出力をカウントするためのクロック周波数を変更するだけで、容易に変更可能であり、また、上記構成によれば、分圧するための回路は不要とされるため、部品コストをより一層削減させることができる。
【００３３】
本願発明の他の好ましい実施の形態によれば、上記画像読取領域の所定点を通る行方向座標軸上に位置する各点に対応する行方向補正係数を予め記憶する行方向補正係数記憶手段と、上記画像読取領域の所定点を通る列方向座標軸上に位置する各点に対応する補正係数を予め記憶する列方向補正係数記憶手段と、上記画像読取領域内の各受光素子の出力値に対して、上記行方向補正係数記憶手段によって記憶された、当該受光素子の行方向座標に対応する行方向補正係数と、上記列方向補正係数記憶手段によって記憶された、当該受光素子の列方向座標に対応する列方向補正係数とを乗算する乗算手段とを備える。
【００３４】
この構成によれば、たとえばＤＳＰを用いて受光素子の出力値の補正を行う場合、画像読取領域の所定点（たとえば中心）を通る列方向座標軸上に位置する各点に対応する列方向補正係数および画像読取領域の所定点（たとえば中心）を通る行方向座標軸上に位置する各点に対応する行方向補正係数を予め記憶しておき、それらの補正係数と、受光素子の実際の出力値とを乗算するので、従来のように受光素子ごとの補正値をメモリに持たせる場合に比べ、メモリ容量を大幅に低減することができる。
【００３５】
本願発明の他の好ましい実施の形態によれば、上記行方向補正係数記憶手段は、上記行方向補正係数を間引きして記憶するものであり、上記列方向補正係数記憶手段は、上記列方向補正係数を間引きして記憶するものである。
【００３６】
この構成によれば、メモリ容量をさらに低減することができる。
【００３７】
本願発明のその他の特徴および利点は、添付図面を参照して以下に行う詳細な説明によって、より明らかとなろう。
【００３８】
【発明の実施の形態】
以下、本願発明の好ましい実施の形態を、添付図面を参照して具体的に説明する。
【００３９】
図１は、本願発明に係るイメージセンサの一例を示す構成図である。このイメージセンサは、ディジタルカメラ等に用いられる、いわゆるエリアイメージセンサとされ、撮像光学系を介した光を受光して画像信号を出力するものであり、横長の画像読取領域Ｓを備えている。画像読取領域Ｓには、複数行複数列にわたって配列された多数個の受光素子としての複数のフォトダイオード１と、これらのフォトダイオード１に接続された複数のスイッチング素子２と、行方向に延びたアドレス線３と、列方向に延びた読出線４とが設けられている。
【００４０】
フォトダイオード１およびスイッチング素子２は、１つずつ組み合わされることにより１画素を構成している。アドレス線３は、行方向に配列された複数のフォトダイオード１ごとに、行方向において複数本設けられている。また、読出線４は、列方向に配列された複数のフォトダイオード１ごとに、列方向において複数本設けられている。
【００４１】
フォトダイオード１は、受光した光信号を電気信号に変換しそれを受光量として蓄える光電変換機能を発揮する素子である。フォトダイオード１は、詳細には示していないが、たとえば平面視矩形状の受光面（図示略）を有しており、この受光面によって光信号を受光することができる。各フォトダイオード１は、そのアノード側がグランドに接地されており、カソード側がスイッチング素子２に接続されている。
【００４２】
スイッチング素子２は、フォトダイオード１によって蓄えられた電荷を読み出すためのものであり、図２に示すように、フォトダイオード１を選択するための選択用トランジスタ２ａと、フォトダイオード１の電位を増幅するための増幅用トランジスタ２ｂと、フォトダイオード１の電位をリセットするためのリセット用トランジスタ２ｃとによって構成されている。
【００４３】
選択用トランジスタ２ａのゲート端子には、アドレス線３が接続されている。選択用トランジスタ２ａのドレイン端子には、増幅用トランジスタ２ｂのソース端子が接続されており、増幅用トランジスタ２ｂのドレイン端子には、読出線４が接続されている。増幅用トランジスタ２ｂのゲート端子には、フォトダイオード１のカソード端子が接続されるとともに、リセット用トランジスタ２ｃのドレイン端子が接続されている。リセット用トランジスタ２ｃのゲート端子には、それをリセットするためのリセット線Ｒ（図１では図示略）が接続されている。また、選択用トランジスタ２ａおよび増幅用トランジスタ２ｂの各ソース端子には、コモン線Ｃ（図１では図示略）が接続されている。
【００４４】
この構成により、アドレス線３に対して、制御部９（後述）から垂直走査信号（選択信号）が出力されると、選択用トランジスタ２ａがオンする。これにより、増幅用トランジスタ２ｂはオン動作され、フォトダイオード１に蓄えられていた画素信号が読出線４に供給され、画素信号は、読出線４を通じてＡＤコンバータ６（後述）に送られる。
【００４５】
図１に戻り、各読出線４の接続端には、アナログ信号をディジタル信号に変換するための複数のＡＤコンバータ６がそれぞれ接続されている。ＡＤコンバータ６の各出力端には、シフトレジスタ７がそれぞれ接続され、各シフトレジスタ７は、ディジーチェーン状に直列に接続されている。また、ＡＤコンバータ６には、分圧回路８を介して制御部９が接続されている。
【００４６】
ＡＤコンバータ６は、図３に示すように、サンプル＆ホールド回路１１と、コンパレータ回路１２と、カウンタ回路１３とによって概略構成されている。
【００４７】
サンプル＆ホールド回路１１は、読出線４に接続され、フォトダイオード１から読出線４を通じて読み出された画素信号を、一時的に保持するための回路である。
【００４８】
コンパレータ回路１２は、サンプル＆ホールド回路１１によって一時的に保持された画素信号と、制御部９から出力される基準電圧とを比較する回路である。すなわち、コンパレータ回路１２の一方の入力端子１２ａは、サンプル＆ホールド回路１１に接続され、他方の入力端子１２ｂは、分圧回路８に接続されている。
【００４９】
ここで、基準電圧としての信号は、図４に示すように、行方向１ラインのスイッチング素子２が選択信号によって選択されるとき、その選択時間Ｔ内で時間の経過とともにスロープ状に変化し、その変化が選択時間Ｔごとに繰り返されるような略のこぎり状の波形を有している。上記選択時間Ｔは、制御部９から出力されるタイミング信号に同期してその周期が規定される。
【００５０】
コンパレータ回路１２は、サンプル＆ホールド回路１１によって一時的に保持された電圧と基準電圧とを比較し、両者が一致したときの一致信号をカウンタ回路１３に出力する。
【００５１】
カウンタ回路１３は、コンパレータ回路１２の出力端子１２ｃに接続され、制御部９から出力される、上記選択時間Ｔと同期したクロック信号に基づいて、たとえば「０」〜「１０２３」を選択時間Ｔごとに繰り返しカウントするものである。カウンタ回路１３は、コンパレータ回路１２からの一致信号によってラッチされ、ラッチされたときのカウント値Ｃをシフトレジスタ７に出力する。
【００５２】
シフトレジスタ７は、カウンタ回路１３の出力に接続され、各カウンタ回路１３から出力されたカウント値Ｃを一時的に保持し、所定のタイミングで順次、後段に接続されたフレームメモリ（図示略）に出力するものである。
【００５３】
制御部９は、このイメージセンサの制御中枢となるものであり、上記したように各スイッチング素子２に対してアドレス線３ごとに走査して選択信号を出力する。制御部９は、ＡＤコンバータ６に対してクロック信号およびタイミング信号を与える。また、制御部９は、フォトダイオード１から読み出された画素信号の比較対象となる基準電圧を、分圧回路８を介してＡＤコンバータ６のコンパレータ回路１２に与える。
【００５４】
分圧回路８は、図５に示すように、増幅器１５と複数の抵抗Ｒ１〜Ｒ８とによって構成されている。分圧回路８は、基準電圧を分圧して各ＡＤコンバータ６に与えるものである。
【００５５】
増幅器１５は、基準電圧を制御部９から出力される設定信号に基づいて所定の電圧値に増幅するものであり、抵抗Ｒ１〜Ｒ８は、増幅器１５の出力電圧を分圧するものである。
【００５６】
なお、図５に示す分圧回路８では、説明の便宜上、抵抗Ｒ１〜Ｒ８およびそれらに接続された第１ないし第５ＡＤコンバータ６Ａ，６Ｂ，６Ｃ，６Ｄ，６Ｅの５つのＡＤコンバータしか記載されていないが、実際は、読出線４の数に応じた数の抵抗およびＡＤコンバータが設けられている。また、第１ないし第５ＡＤコンバータ６Ａ，６Ｂ，６Ｃ，６Ｄ，６Ｅは、画像読取領域Ｓの列方向に配列されたフォトダイオード１に対応して読出線４に接続されており、特に、第３ＡＤコンバータ６Ｃは、画像読取領域Ｓの中心を通る列方向座標軸上に配列されているフォトダイオード１に読出線４を介して接続されているとする。
【００５７】
また、アドレス線３は、説明の便宜上、図６に示すように、第１ないし第５アドレス線３Ａ，３Ｂ，３Ｃ，３Ｄ，３Ｅの５本のみ設けられているとし、特に、第３アドレス線３Ｃは、画像読取領域Ｓの中心を通る行方向座標軸上に配列されているフォトダイオード１に接続されているとする。
【００５８】
すでに述べたように、本願発明は、図７に示すように、画像読取領域Ｓ内の原点Ｏにおける受光量を最大受光量（１００％）としたとき、画像読取領域Ｓ内の任意の点ＰのＸ座標に相当するＸ軸上の点Ｐｘにおける受光量の上記最大受光量に対する比と、上記任意の点ＰのＹ座標に相当するＹ軸上の点Ｐｙにおける受光量の上記最大光量に対する比とを乗じたものとが、上記任意の点Ｐにおける受光量の上記最大受光量に対する比とほぼ等しいという知見に基づいてなされたものである。
【００５９】
すなわち、画像読取領域Ｓ内の任意の点Ｐにおいて、上記最大光量を受光する受光素子と同等の出力値を得るためには、任意の点ＰについてのＸ座標に相当するＸ軸上の点Ｐｘにおける受光量の上記最大受光量に対する比の逆数と、上記任意の点ＰについてのＹ座標に相当するＹ軸上の点Ｐｙにおける受光量の上記最大受光量に対する比の逆数とを用い、それらを任意の点Ｐにおける受光素子の出力値に掛け合わせればよいことになる。
【００６０】
具体的には、図７における点Ｐｘにおける受光量の原点Ｏにおける受光量（最大受光量）に対する比を８０％とし、点Ｐｙにおける受光量の原点Ｏにおける受光量（最大受光量）に対する比を８０％とすると、点Ｐにおける受光量の上記最大受光量に対する比は６４％となる。したがって、点Ｐにおける受光素子の出力値に対して、点Ｐｘにおける光量の原点Ｏにおける最大光量に対する比の逆数である（１００／８０）と、点Ｐｙにおける光量の原点Ｏにおける最大光量に対する比の逆数である（１００／８０）とを乗ずるようにすれば、６４×（１００／８０）×（１００／８０）＝１００となることから、上記点Ｐにおける受光素子の出力値は、原点Ｏにおける受光素子の出力値と同等となるように補正されることになる。
【００６１】
そのため、画像読取領域Ｓの所定点（たとえば中心）を通る行方向座標軸（図７のＸ軸に相当）上に位置する各点に対応する行方向補正係数と、画像読取領域Ｓの中心を通る列方向座標（図７のＹ軸に相当）上に位置する各点に対応する列方向補正係数とを定めておき、画像読取領域Ｓの各フォトダイオード１の出力値に対して、当該フォトダイオード１の行方向座標に対応する行方向補正係数と、当該フォトダイオード１の列方向座標に対応する列方向補正係数とを乗ずるようにする。
【００６２】
ここで、行方向補正係数を、行方向座標軸上に配列されているフォトダイオード１の、画像読取領域Ｓの中心に位置するフォトダイオード１の受光量（最大受光量）に対する比の逆数に基づいて定め、列方向補正係数を、列方向座標軸上に配列されているフォトダイオード１の受光量の、画像読取領域Ｓの中心に位置するフォトダイオード１の受光量（最大受光量）に対する比の逆数に基づいて定めておけば、画像読取領域Ｓ内の各点におけるフォトダイオード１の出力値を、上記最大受光量を受光するフォトダイオード１の出力値とほぼ同等の出力値となるように補正することができる。
【００６３】
本実施形態においては、一例として、各ＡＤコンバータ６に対する基準電圧を、上記行方向補正係数および列方向補正係数に関連させて設定変更することにより、各フォトダイオードの出力値に上記行方向補正係数および列方向補正係数を乗じたのと同等となるように構成しており、以下、上記構成における作用を具体的に説明する。
【００６４】
まず、図７におけるＹ軸方向（列方向）についてＡＤコンバータ６に対して基準電圧を設定する場合について説明すると、制御部９は、スイッチング素子２をオン動作させるための選択信号をアドレス線３ごとに順次出力する。このとき、制御部９は、アドレス線３に選択信号を出力するごとに、ＡＤコンバータ６に対して列方向補正係数に関連する値に応じて、異なる値の基準電圧を設定する。
【００６５】
たとえば、図６に示した第３アドレス線３Ｃに選択信号を出力するときの基準電圧を正規の基準電圧（１００％）とし、制御部９は、第１アドレス線３Ａに選択信号を出力するとき、ＡＤコンバータ６の基準電圧が、正規のたとえば約６７．５％の基準電圧になるように設定する。すなわち、制御部９は、基準電圧の振幅が正規の約６７．５％になるように、分圧回路８の増幅器１５に設定信号を送る。これにより、増幅器１５は、振幅が０．６７５倍にされた基準電圧をＡＤコンバータ６に与える。
【００６６】
次いで、制御部９は、第２アドレス線３Ｂに選択信号を出力するとき、ＡＤコンバータ６の基準電圧が、正規のたとえば約９０．０％の基準電圧になるように設定する。制御部９は、第３アドレス線３Ｃに選択信号を出力するとき、正規の基準電圧をそのまま出力する。また、制御部９は、第４アドレス線３Ｄに選択信号を出力するとき、ＡＤコンバータ６の基準電圧が、正規のたとえば約９０．０％になるように設定する。そして、制御部９は、第５アドレス線３Ｅに選択信号を出力するとき、ＡＤコンバータ６の基準電圧が、正規のたとえば約６７．５％の基準電圧になるように設定する。
【００６７】
なお、上記した正規の基準電圧に対する各割合は、アドレス線３が５本の場合を想定して予め定められたものであり、実際のイメージセンサでは、アドレス線３の数は上記の例より多く、アドレス線３の数に応じて異なる値となる。本実施形態においては、たとえば、第１アドレス線３Ａに接続されるフォトダイオード１についての、列方向座標上の点における光量の最大光量に対する比が６７．５％とされており、この値が列方向補正係数に関連した値とされている。
【００６８】
このように、制御部９がＡＤコンバータ６に対して基準電圧を設定すると、ＡＤコンバータ６におけるコンパレータ回路１２の他方の入力端子１２ｂには、図８に示すように、振幅が所定の割合で下げられた基準電圧が入力されることになる。
【００６９】
通常、コンパレータ回路１２の一方の入力端子１２ａには、サンプル＆ホールド回路１１によって保持されたフォトダイオード１の出力値としての画素信号が入力される。そして、コンパレータ回路１２において、基準電圧と画素信号とが比較され、基準電圧の値と画素信号の値とが一致したときの一致信号がカウンタ回路１３に出力される。これにより、カウンタ回路１３では、カウント値Ｃがカウントされる。カウンタ回路１３の出力は、シフトレジスタ７に送られ、フォトダイオード１の正規の出力値とされる。
【００７０】
上記のように、コンパレータ回路１２に、振幅が所定の割合で下げられた基準電圧が入力されると、同じ画素信号が入力された場合でも、基準電圧の値と画素信号の値とが一致するタイミングが遅れることになる。そのため、カウンタ回路１３では、カウント値Ｃより大のカウント値Ｃ′がカウントされることになり、フォトダイオード１の出力値が見かけ上、増加することになる。
【００７１】
一方、図７におけるＸ軸方向（行方向）についてＡＤコンバータ６に対して基準電圧を設定する場合について説明すると、行方向においては、各ＡＤコンバータ６に与えられる基準電圧が、行方向補正係数に関連した値に応じて、分圧回路８の各抵抗Ｒ１〜Ｒ８によって分圧されることにより異なるようにされる。すなわち、図５に示したように、第１ＡＤコンバータ６Ａには、第１抵抗Ｒ１と第２抵抗Ｒ２との抵抗比に基づいて分圧された基準電圧が与えられる。具体的には、第１抵抗Ｒ１と第２抵抗Ｒ２との抵抗比は、たとえば６７５：３２５とされているため、正規の基準電圧の６７．５％の電圧が基準電圧として第１ＡＤコンバータ６Ａに与えられる。
【００７２】
また、第２ＡＤコンバータ６Ｂには、第３抵抗Ｒ３と第４抵抗Ｒ４との抵抗比がたとえば９：１とされているため、正規の基準電圧の９０％の電圧が基準電圧として与えられる。そして、第３ＡＤコンバータ６Ｃには、抵抗が接続されていないため、増幅器１５で増幅された基準電圧がそのまま与えられる。また、第４ＡＤコンバータ６Ｄには、第５抵抗Ｒ５と第６抵抗Ｒ６との抵抗比がたとえば９：１とされているため、正規の基準電圧の９０％の電圧が基準電圧として与えられる。さらに、第５ＡＤコンバータ６Ｅには、第７抵抗Ｒ７と第８抵抗Ｒ８との抵抗比がたとえば６７５：３２５とされているため、正規の基準電圧の６７．５％の電圧が基準電圧として与えられる。
【００７３】
なお、上記した抵抗の分圧比による正規の基準電圧の各割合は、読出線４が５本の場合を想定して予め定められた値であり、実際のイメージセンサでは、読出線４の数は上記の例より多く、読出線４の数に応じて異なる値となる。本実施形態においては、たとえば、第１ＡＤコンバータ６Ａに接続されるフォトダイオード１についての、行方向座標軸上の点における受光量の最大受光量に対する比が６７．５％とされており、この値が行方向補正係数に関連した値とされている。したがって、第１アドレス線３Ａに接続され、かつ第１ＡＤコンバータ６Ａに接続されるフォトダイオード１についての、画像読取領域Ｓ内の点における受光量の最大受光量に対する比は、６７．５×６７．５で求められ、約４５．５％となる。
【００７４】
列方向についてＡＤコンバータ６の基準電圧が設定された場合に、振幅が下げられた基準電圧（図８参照）は、上記のように、分圧回路８によって、第１、第２、第４および第５ＡＤコンバータ６Ａ，６Ｂ，６Ｄ，６Ｅに与えられる基準電圧が所定の割合で下げられることにより、図９に示すように、さらにその振幅が下げられる。そのため、たとえば第１ＡＤコンバータ６Ａのコンパレータ回路１２では、さらにその振幅が下げられた基準電圧と画素信号とが比較されることになる。
【００７５】
そして、そのときの一致信号がカウンタ回路１３に出力され、カウンタ回路１３は、カウント値Ｃ′より高い値のカウント値Ｃ″をシフトレジスタ７に出力する。このカウンタ回路１３の出力は、シフトレジスタ７に送られて、フォトダイオード１の正規の出力値とされるが、カウント値Ｃ″は、上記したカウント値Ｃ′より高い値であるため、フォトダイオード１の出力値は、見かけ上、さらに増加されることになる。
【００７６】
ここで、基準電圧の振幅が所定の割合で下げられると、カウンタ回路１３においてカウントされるカウント値（フォトダイオード１の出力値）は増加するが、この場合、カウント値が増加する割合は、ＡＤコンバータ６に対して設定した基準電圧の割合に対して、ちょうど逆数の関係にある。
【００７７】
図１０は、基準電圧の振幅の変化に対するカウント値の変化を示す図である。なお、この図では、説明の便宜上、基準電圧としては、略のこぎり状波形の傾斜部分のみを示し、その部分のカウント範囲は「１」〜「１０」に設定している。ここで、仮に基準電圧が８０％の割合でその振幅が下げられた場合を想定すると、カウント値は、たとえば「４」から「５」の１．２５倍になっており、ちょうど正規の基準電圧に対する割合の逆数である（１００／８０）と一致する。
【００７８】
つまり、画像読取領域Ｓ内の任意のフォトダイオード１の最終出力値を最大受光量のフォトダイオードの出力値と同等としようとする場合、当該フォトダイオード１の行方向座標に相当する行方向座標軸上のフォトダイオードの受光量の上記最大受光量に対する比と、当該フォトダイオード１の列方向座標に相当する列方向座標上のフォトダイオード１の受光量の上記最大受光量に対する比とを、ＡＤコンバータ６に対して基準電圧の割合としてそれぞれ設定すればよいことになる。
【００７９】
換言すれば、ＡＤコンバータ６に対して上記比を基準電圧の割合として設定することは、任意のフォトダイオード１の出力値に対して、当該フォトダイオード１の行方向座標に相当する行方向座標軸上の点における受光量の上記最大受光量に対する比の逆数（行方向補正係数）と、当該フォトダイオード１の列方向座標に相当する列方向座標軸上の点における受光量の上記最大受光量に対する比の逆数（列方向補正係数）とを乗ずることに相当し、これにより、当該フォトダイオード１の出力値を補正することができる。
【００８０】
たとえば、図１１に示すように、５行５列にわたって配列された各フォトダイオード１のうち、第１行第１列において配列されたフォトダイオード１について、当該フォトダイオード１の行方向座標に相当する行方向座標軸上の点における受光量の上記最大受光量に対する比は、６７．５％であり、また、当該フォトダイオード１の列方向座標に相当する列方向座標軸上の点における受光量の最大受光量に対する比は、６７．５％であるため、第１行第１列において配列されたフォトダイオード１が位置する点の受光量の最大受光量に対する比は、上述したように約４５．５％となる。
【００８１】
そのため、第１行第１列において配列されたフォトダイオード１が位置する点の受光量に対して、当該フォトダイオード１の行方向座標に相当する行方向座標軸上の点における受光量の最大受光量に対する比の逆数である（１００／６７．５）と、当該フォトダイオード１の列方向座標に相当する列方向座標軸上の点における受光量の最大受光量に対する比の逆数である（１００／６７．５）とを乗ずると、４５．５×（１００／６７．５）×（１００／６７．５）＝１００となることから、最大受光量のフォトダイオード１の出力値と同等となるように、当該フォトダイオード１の出力値を補正することができる。
【００８２】
従来では、画像読取領域Ｓ内の全てのフォトダイオード１あるいは一つの象限にあるフォトダイオード１の出力値に対してそれぞれ補正値をもたせることがあったが、本実施形態では、行方向座標軸上に位置する各点および列方向座標軸上に位置する各点についての補正係数を持たせておくだけで、画像読取領域Ｓ内の任意のフォトダイオード１の出力値を容易に補正することができるので、メモリ容量を著しく低減させることができる。また、ＮＤフィルタを用いた場合のように、イメージセンサとしての全体としての出力が低下するということもない。
【００８３】
なお、分圧回路８の構成は、図５に示した回路構成に代えて、図１２に示すように、各ＡＤコンバータ６Ａ〜６Ｄのコンパレータ回路１２に与えられる基準電圧が抵抗Ｒ１１〜Ｒ１６によって直列的に分圧される回路構成であってもよい。
【００８４】
すなわち、第３ＡＤコンバータ６Ｃは、増幅器１５に直接的に接続されており、第２ＡＤコンバータ６Ｂは、抵抗Ｒ１３を介して増幅器１５に接続されている。また、第１ＡＤコンバータ６Ａは、抵抗Ｒ１２，  Ｒ１３を介して増幅器１５に接続されており、第４ＡＤコンバータ６Ｄは、抵抗Ｒ１４を介して増幅器１５に接続されている。そして、第５ＡＤコンバータ６Ｅは、抵抗Ｒ１４，Ｒ１５を介して増幅器１５に接続されている。抵抗Ｒ１１は、一端が抵抗Ｒ１２に接続され、他端が所定電位Ｖ０に接続されている。また、抵抗Ｒ１６は、一端が抵抗Ｒ１５に接続され、他端が所定電位Ｖ０に接続されている。
【００８５】
この構成により、各ＡＤコンバータ６Ａ，６Ｂ，６Ｃ，６Ｄ，６Ｅに与えられる基準電圧は、行方向補正係数に関連した値に応じて、各抵抗Ｒ１１〜Ｒ１６の値によって異なるようにされる。具体的には、第３ＡＤコンバータ６Ｃには、基準電圧がそのまま与えられ、第２および第４ＡＤコンバータ６Ｂ，６Ｄには、正規の基準電圧のたとえば９０％の電圧が基準電圧として与えられる。また、第１および第５ＡＤコンバータ６Ａ，６Ｅには、正規の基準電圧のたとえば６７．５％の電圧が基準電圧として与えられる。したがって、この回路構成により、図５に示した回路構成と同様の作用効果を奏する。
【００８６】
また、これらの分圧回路８を設けることに代えて、図１３に示すように、各ＡＤコンバータ６Ａ〜６Ｄのカウンタ回路１３におけるカウント範囲（カウント加算値）がＡＤコンバータ６Ａ〜６Ｄごとに、行方向補正係数に関連した値に応じて、異なるように設定されるようにしてもよい。
【００８７】
すなわち、上記実施形態では、カウンタ回路１３は、「０」〜「１０２３」の間でカウントされたが、この「０」〜「１０２３」の間でカウントするカウンタ回路１３は、第３ＡＤコンバータ６Ｃのカウンタ回路のみとし、第２および第４ＡＤコンバータ６Ｂ，６Ｄの各カウンタ回路１３は、たとえば「０」〜「１１３８」の間でカウントされ、第１および第５ＡＤコンバータ６Ａ，６Ｅの各カウンタ回路１３は、たとえば「０」〜「１５１７」の間でカウントされるようにする。このようなカウント範囲の設定変更は、カウンタ回路１３に入力されるクロック周波数を変更することにより容易に可能である。
【００８８】
なお、上記した「１１３８」や「１５１７」といったカウント範囲を示す値は、読出線４が５本の場合を想定して予め定められた値である。
【００８９】
図８に示したように、列方向に配列されたフォトダイオード１の出力値を行ごとに補正するときに、カウンタ回路１３では、コンパレータ回路１２から出力される一致信号によって、カウント値Ｃ′がカウントされる。そして、各ＡＤコンバータ６Ａ〜６Ｄのカウンタ回路１３におけるカウント範囲をそれぞれ異なるように設定しておけば、カウント範囲を広くしたカウンタ回路１３の方が、大きな値をカウントすることができる。したがって、フォトダイオード１の出力値は、見かけ上、増加されることになる。
【００９０】
これにより、分圧回路８を設けた回路構成と同様の作用効果を奏することができるとともに、分圧回路８を省略することができる結果、部品コストを一層削減することができる。
【００９１】
また、本願発明は、イメージセンサにＤＳＰを内蔵させた場合にも適用させることができる。
【００９２】
すなわち、従来、ＤＳＰを用いる方法では、図１４に示すように、全てのフォトダイオード１によって読み出された全ての出力値に対して、フォトダイオード１が位置する点における受光量の最大受光量に対する比の逆数を補正値としてメモリ３０から読み出し、乗算器３１によって乗算することにより、画像読取領域Ｓにおける光量がほぼ均一になるようにされていた。この方法では、全てのフォトダイオード１に対してそれぞれ補正値を有しなければならない結果、メモリの容量が増大していた。
【００９３】
本実施形態では、図１５に示すように、画像読取領域Ｓの中心を通る行方向座標軸上の各点に対応する行方向補正係数と、画像読取領域Ｓの中心を通る列方向座標敷く上の各点に対応する列方向補正係数とをそれぞれメモリ２１に記憶させておく。
【００９４】
そして、フォトダイオード１の実際の出力値に対して、当該フォトダイオード１の行方向座標に対応する行方向補正係数を乗算器２２によって乗算し、当該フォトダイオード１の列方向座標に対応する列方向補正係数を乗算器２３によって乗算する。
【００９５】
このようにすれば、上記行方向補正係数と、列方向補正係数とだけを記憶しておけばよいので、全てのフォトダイオード１に対してそれぞれ補正値を有する場合に比べ、メモリ容量を大幅に低減することができ、ひいては、部品コストの削減化を図ることができる。しかも、この方法によれば、画素数が増えれば増えるほどより大きな効果を発揮する。
【００９６】
なお、補正係数を乗算させる方法としては、図１６に示すように、あらかじめ、フォトダイオード１の行方向座標に対応する行方向補正係数と、列方向座標に対応する列方向補正係数とを乗算器２４によって乗算しておき、その乗算結果をフォトダイオード１の実際の出力値に乗算器２５によって乗算させる方法であってもよい。
【００９７】
また、上記行方向補正係数および列方向補正係数は、予め間引きしたデータとして記憶されていてもよい。すなわち、メモリには、複数の列ごとに１つの補正係数を記憶させるとともに、複数の行ごとに１つの補正係数を記憶させておく。これによれば、メモリ容量をさらに低減させることができる。
【００９８】
もちろん、この発明の範囲は上述した実施の形態に限定されるものではない。たとえば、上記したイメージセンサは、ディジタルカメラに適用されることに限らず、たとえばディジタルビデオカメラやカメラ付きの携帯型電話機に適用することができる。
【図面の簡単な説明】
【図１】本願発明に係るイメージセンサの一例を示す構成図である。
【図２】フォトダイオードおよびスイッチング素子の回路図である。
【図３】ＡＤコンバータのブロック図である。
【図４】基準電圧信号および画素信号のタイミングチャートである。
【図５】分圧回路の一例を示す回路図である。
【図６】アドレス線の構成の一例を示す図である。
【図７】画像読取領域のＸ軸上およびＹ軸上での受光量の関係を示す図である。
【図８】基準電圧信号および画素信号のタイミングチャートである。
【図９】基準電圧信号および画素信号のタイミングチャートである。
【図１０】基準電圧信号と画素信号との関係を示す図である。
【図１１】行方向および列方向に配列されたフォトダイオードにおける受光量の最大受光量に対する比を示す図である。
【図１２】分圧回路の一例を示す回路図である。
【図１３】ＡＤコンバータのカウント範囲の一例を示す図である。
【図１４】従来のＤＳＰのブロック構成を示す図である。
【図１５】本願発明のイメージセンサにＤＳＰを適用した場合のＤＳＰのブロック構成を示す図である。
【図１６】本願発明のイメージセンサにＤＳＰを適用した場合のＤＳＰの他のブロック構成を示す図である。
【図１７】ディジタルカメラの撮像光学系を示す概略図である。
【図１８】画像読取領域における光量の分布を示す図である。
【図１９】Ｙ軸断面における中心からの距離と光量の割合との関係を示す図である。
【図２０】画像読取領域の約１／４の領域（一つの象限）を示す図である。
【符号の説明】
１  フォトダイオード（受光素子）
２  スイッチング素子
３  アドレス線
４  読出線
６  ＡＤコンバータ
７  シフトレジスタ
８  分圧回路
９  制御部
１２  コンパレータ回路
１３  カウンタ回路
【図１】
2004159160.tif 000003
【図２】
2004159160.tif 000004
【図３】
2004159160.tif 000005
【図４】
2004159160.tif 000006
【図５】
2004159160.tif 000007
【図６】
2004159160.tif 000008
【図７】
2004159160.tif 000009
【図８】
2004159160.tif 000010
【図９】
2004159160.tif 000011
【図１０】
2004159160.tif 000012
【図１１】
2004159160.tif 000013
【図１２】
2004159160.tif 000014
【図１３】
2004159160.tif 000015
【図１４】
2004159160.tif 000016
【図１５】
2004159160.tif 000017
【図１６】
2004159160.tif 000018
【図１７】
2004159160.tif 000019
【図１８】
2004159160.tif 000020
【図１９】
2004159160.tif 000021
【図２０】
2004159160.tif 000022